(57)【要約】【課題】半導体集積回路で構成されるマイクロコンピュータを腕時計に内蔵する場合であっても、機能を低下させることなく、実装面積を低減でき、小型化を容易とする。【解決手段】腕時計は、処理回路を構成する各種電子部品および配線用パターンが実装された回路基板５０と、各部に電源を供給する二次電池３８と、を備え、電子部品は、処理回路の一部を構成するマイクロコンピュータ５６を構成するベアチップを含み、ベアチップと二次電池３８とを、回路基板５０の同一面側に対向配置する。【選択図】図８
2008020324.tif 000002
【特許請求の範囲】
【請求項１】
処理回路を構成する各種電子部品および配線用パターンが実装された回路基板と、
各部に電源を供給する電池と、を備え、
前記電子部品は、前記処理回路の一部を構成するベアチップを含み、
前記ベアチップと前記電池とを、前記回路基板の同一面側に対向配置することを特徴とする腕時計。
【請求項２】
請求項１記載の腕時計において、
前記ベアチップは、実装前にウェーハの非能動面側を研磨することにより厚みを低減させていることを特徴とする腕時計。
【請求項３】
請求項１または請求項２記載の腕時計において、
前記腕時計は、ムーブメントを有するアナログ時計として構成されており、
前記回路基板は、前記ムーブメントを構成する輪列が配置された輪列配置領域および被駆動部を駆動するためのモータのコイルが配置されるコイル配置領域を除き、前記ムーブメントの一方の面を覆うように配置されていることを特徴とする腕時計。
【請求項４】
請求項１ないし請求項３のいずれかに記載の腕時計において、
太陽電池を備え、
前記電池は、前記太陽電池により発電された電力を蓄える二次電池として構成されていることを特徴とする腕時計。
【請求項５】
請求項１ないし請求項４のいずれかに記載の腕時計において、
所定の電波を受信するためのアンテナを備え、
前記処理回路は、受信した前記電波に基づいて各種処理を行うことを特徴とする腕時計。
【請求項６】
請求項１ないし請求項５のいずれかに記載の腕時計において、
前記電波は、時刻標準電波であり、
前記処理回路は、受信した前記時刻標準電波に基づいて時刻修正を行うための時刻修正回路を含むことを特徴とする腕時計。
【発明の詳細な説明】
【技術分野】
【０００１】
本発明は、腕時計に係り、特に半導体集積回路として構成されているマイクロコンピュータを内蔵し、電池駆動される腕時計に関する。
【背景技術】
【０００２】
従来、ケース内部にアンテナを内蔵する腕時計が販売されている（例えば、特許文献１参照）。
さらに、近年では、無線機能付の腕時計として太陽電池内蔵の電波修正時計、いわゆる、ソーラー電波修正時計が販売されている。
このソーラー電波修正時計の構成部品、とりわけ、回路部品は一般的なアナログ電子時計と比較して多くの素子を使用するため、実装面積や配線面積が多く必要となり、男性用の大型のものが主流であった。
【特許文献１】特開２００１−３３５７１（図１）
【発明の開示】
【発明が解決しようとする課題】
【０００３】
ところで、ソーラー電波修正時計の普及および需要の増加に伴い、女性用のソーラー電波修正時計のニーズが高まっている。この場合において、電波修正時計は情報処理量が多いため、半導体集積回路で構成されるマイクロコンピュータを内蔵している。
一方、女性用の小型ソーラー電波修正時計は、男性用のものと比較して小型化が必要であり、構成部品を収納する容積も小さいため、機能を削減することなく小型化を図るのは困難であるという問題点があった。
そこで、本発明の目的は、半導体集積回路で構成されるマイクロコンピュータを腕時計に内蔵する場合であっても、機能を低下させることなく、実装面積を低減でき、小型化を容易とすることができる腕時計を提供することにある。
【課題を解決するための手段】
【０００４】
上記課題を解決するため、処理回路を構成する各種電子部品および配線用パターンが実装された回路基板と、各部に電源を供給する電池と、を備え、前記電子部品は、前記処理回路の一部を構成するベアチップを含み、前記ベアチップと前記電池とを、前記回路基板の同一面側に対向配置することを特徴としている。
上記構成によれば、ベアチップと電池とを対向配置させているため、実装面積を低減でき、腕時計の小型化を容易に図ることができる。
【０００５】
この場合において、前記ベアチップは、実装前にウェーハの非能動面側を研磨することにより厚みを低減させるようにしてもよい。
また、前記腕時計は、ムーブメントを有するアナログ時計として構成されており、前記回路基板は、前記ムーブメントを構成する輪列が配置された輪列配置領域および被駆動部を駆動するためのモータのコイルが配置されるコイル配置領域を除き、前記ムーブメントの一方の面を覆うように配置されているようにしてもよい。
【０００６】
さらに、太陽電池を備え、前記電池は、前記太陽電池により発電された電力を蓄える二次電池として構成されているようにしてもよい。
さらにまた、所定の電波を受信するためのアンテナを備え、前記処理回路は、受信した前記電波に基づいて各種処理を行うようにしてもよい。
また、前記電波は、時刻標準電波であり、前記処理回路は、受信した前記時刻標準電波に基づいて時刻修正を行うための時刻修正回路を含むようにしてもよい。
【発明の効果】
【０００７】
本発明によれば、半導体集積回路で構成されるマイクロコンピュータを腕時計に内蔵する場合であっても、実装面積を低減でき、腕時計の小型化（薄型化を含む）を容易に図ることができる。
【発明を実施するための最良の形態】
【０００８】
次に本発明の好適な実施の形態について図面を参照して説明する。
図１は、実施形態に係る無線機能付腕時計としてのソーラー充電式電波時計（以下、腕時計という）の外観構成を示す図である。
また、図２は図１の腕時計の断面構造の概要を示す図である。
腕時計１は、大別すると、時計ケース２と、この時計ケース２に連結された一対のバンド（帯状体）３とを備えている。
時計ケース２は、ステンレス、チタン等の金属材またはプラスチック等の樹脂材で形成され、その内部に、図２に示すように、貫通孔２Ａを有している。
【０００９】
時計ケース２の貫通孔２Ａには、時計表側から順に、文字板１０、ソーラーパネル２０、ムーブメント３０が積層配置されており、文字板１０上には、ムーブメント３０の秒車３１、２番車３２、筒車３３に各々連結された秒針５、分針６及び時針７からなる３つの表示指針が配置され、この貫通孔２Ａの時計表側がカバーガラス４０で封止され、裏側が裏蓋４１で封止されている。このカバーガラス４０と時計ケース２との間、及び、裏蓋４１と時計ケース２との間には各々パッキン４２、４３が配置されて時計ケース２内の密封性が確保されている。また、時計ケース２の外側には、竜頭８と操作ボタン９とが設けられている。
この腕時計１の文字板１０は、光透過性を有する材料で形成されており、カバーガラス４０及び文字板１０を通過した太陽光等の光がソーラーパネル２０に照射される。この光を受けてソーラーパネル２０が発電し、発電電力がムーブメント３０に取り付けられた二次電池３８（図３参照）に充電される。そして、この二次電池３８の電力によりムーブメント３０が駆動して現在時刻を表示する。
【００１０】
図３は、ムーブメントを裏蓋側から見た平面図である。
図４は、ムーブメントから回路基板及び回路押さえ板を外した状態を示す平面図である。
ムーブメント３０は、基材となる略円板形状の地板８１を備えている。この地板８１には、複数の表示指針５〜７を回転駆動するための、秒車３１、２番車３２および筒車３３を含む輪列機構３５と、２つのモータ３６Ａ、３６Ｂと、時刻標準電波としての長波標準電波（例えば、日本ＪＪＹ：４０ｋＨｚ／６０ｋＨｚ、アメリカＷＷＶＢ：６０ｋＨｚ、ドイツＤＣＦ７７：７７．５ｋＨｚ）を受信するアンテナユニット３７と、電源として機能する二次電池３８などが配置されている。なお、図３及び図４において、腕時計１は、ムーブメント３０の３時位置から延びてその先端に竜頭８が連結される巻き真８Ａを備えている。
【００１１】
図４に示すように、地板８１の中央領域には、輪列機構３５が配置され、この輪列機構３５を取り囲む外側の環状の領域には、２つのモータ３６Ａ、３６Ｂ、アンテナユニット３７及び二次電池３８等が配置される。
ここで、輪列機構３５を取り囲む外側の環状の領域は、図３および図４に示すように、一方のモータ３６Ａが配置された第一領域（略０時−３時領域）ＡＲ１と、他方のモータ３６Ｂが配置された第二領域（略３時−６時領域）ＡＲ２と、アンテナユニット３７が配置された第三領域（略６時−９時領域）ＡＲ３と、二次電池３８が配置された第四領域（略９時−１２時（０時）領域）ＡＲ４との４つに区分することができる。
このように腕時計１においては、地板８１の限られた平面スペースに比較的大型の４部品（二個のモータ３６Ａ、３６Ｂ、アンテナユニット３７、二次電池３８）を上下に重ねることなくバランスよく配置している。
【００１２】
輪列機構３５の各歯車の軸は、一端が地板８１に支持されるとともに、他端が地板８１の裏蓋４１側に設けられた輪列受け４５に支持されている。この輪列機構３５は、大別すると、時針７及び分針６用の輪列機構と、秒針５用の輪列機構とに分けられ、時針７及び分針６用の輪列機構がモータ３６Ａによって駆動されるとともに、秒針５用の輪列機構がモータ３６Ｂによって駆動される。すなわち、モータ３６Ａが時針７及び分針６を駆動する時分モータとして機能し、モータ３６Ｂが秒針５を駆動する秒針モータとして機能するように構成されている。
本実施形態の腕時計１では、時針７及び分針６と、秒針５とを独立駆動可能な２モータ式を採用することにより、アンテナユニット３７により受信した長波標準電波に含まれるタイムコードに従って時刻を調整する場合に、秒針５、分針６及び時針７を一つのモータで駆動する場合に比して時刻調整時のモータ駆動量を減らすことができ、時刻調整の短時間化及び時刻調整に伴う電力消費量の低減を図ることができる。
【００１３】
アンテナユニット３７は、長波標準電波（詳細には、長波標準電波の磁界成分）の時間変動に応じて、電磁誘導により、アンテナコイル３７Ｂに誘導起電力（誘導起電圧）が発生する。そして、誘導起電力によるコイル両端の電位の変動が受信信号として検出される。
図５は、ムーブメント近傍の断面概念図である。
また、このムーブメント３０には、図３および図５に示すように、地板８１の裏蓋４１側に輪列受け４５との間に間隔を空けて回路基板５０が配置され、この回路基板５０は、回路押さえ板５１によって地板８１に固定されている。
【００１４】
図６は、回路基板を時計表側（＝地板側）から見た場合の平面図である。
図７は、回路基板を裏蓋側から見た場合の平面図である。
この回路基板５０は、地板８１（ムーブメント３０）の略全面を覆う略円板形状に形成されている。また、この回路基板５０には、モータ３６Ａのコイル部分に対応する領域に窓部５０Ａが設けられ、モータ３６Ｂのコイル部分に対応する領域に窓部５０Ｂが設けられ、輪列機構３５の裏蓋４１側に飛び出る部分（秒車３１、２番車３２、筒車３３の軸部分）に対応する領域に設けられた窓部５０Ｃが設けられている。そして、これらの窓部５０Ａ、５０Ｂ、５０Ｃとの干渉を避けつつ、回路基板５０を地板８１側に近接配置させてムーブメント厚の増加を防いでいる。
さらにこの回路基板５０には、時計表側（地板８１側）の面に、受信ＩＣ５５、マイクロコンピュータ５６及び水晶振動子５７等の電子部品が実装部品として実装されており、これら実装部品が、アンテナユニット３７、ソーラーパネル２０、モータ３６Ａ、３６Ｂ及び二次電池３８に電気的に接続されることによって、この回路基板５０は、この腕時計１全体を制御する回路部を構成する。
【００１５】
受信ＩＣ５５は、マイクロコンピュータ５６に接続され、マイクロコンピュータ５６の制御の下、アンテナユニット３７を介して長波標準電波を受信し、受信した長波標準電波から現在時刻情報を示すタイムコードを復号する。周知の通り、タイムコードには、現在時刻の分を示す分情報と、現在時刻の時を示す時情報と、現在日を表す日情報（その年の１月１日からの通算日）とが含まれ、これらの情報が受信ＩＣ５５からマイクロコンピュータ５６へ出力される。
マイクロコンピュータ５６は、その厚さを低減するため、ベアチップとして構成されている。ベアチップとは、パッケージに入っていない、ウェーハから切り出したばかりの裸の半導体チップのことであり、パッケージに封入する場合と比較して厚さが薄くなっている。
さらに本実施形態においては、ベアチップであるマイクロコンピュータ５６の厚さを低減するため、ウェーハの非回路形成面側、すなわち、ウェーハの非能動面側を研磨（バックグラインド）し、厚みを低減し、本来のウェーハの厚さ０．３ｍｍ〜０．６ｍｍのところをおよそ０．１５ｍｍとしている。
この腕時計１の各部を中枢的に制御するものあり、ＣＰＵ、ＲＯＭ、ＲＡＭ及び水晶振動子５７を発振させる発振回路等の各種回路を有し、モータ３６Ａ、３６Ｂの駆動制御、長波標準電波の受信制御及び時刻修正、ソーラーパネル２０の発電電力を二次電池３８に充電する制御及び二次電池３８に蓄電された電力を各部に供給する電源制御といった各種処理を行う。
本構成では、回路基板５０が、アンテナユニット３７も含めて地板８１（ムーブメント３０）の略全面を覆うため、回路基板５０の面積を広く確保でき、実装部品（電子部品）や配線の配置領域を広く確保することができる。
【００１６】
図８は、二次電池を配置した部分の回路基板の部分断面図である。
図８に示すように、二次電池３８は、正側端子３８Ｐが非導電性の地板８１に支持され、正側端子３８Ｐの側面には、腕時計１の正極端子板８５が導通可能に接触されている。
また、二次電池３８の負側端子３８Ｍの上面には、腕時計１の負極端子板８６が導通可能に接触されている。
そして、二次電池３８の負側端子３８Ｍの対向する位置の回路基板５０には（図４参照）、ベアチップとして構成されたマイクロコンピュータ５６が実装されている。すなわち、上述したように、ベアチップとして構成されたマイクロコンピュータ５６は、ウェーハが研磨（バックグラインド）されて薄型化されているため、容易に回路基板５０と二次電池３８の負側端子３８Ｍとの間の間隙に収まることとなっている。
このとき、マイクロコンピュータ５６の接地側電位は、対向している二次電池３８の負側電位と同じとされ、電気的に安定な状態に保持されている。
したがって、マイクロコンピュータ５６を電源である二次電池３８の近傍に配置しているにも拘わらず、その影響を受けず、安定して動作させることが可能となっている。
【００１７】
以上の説明のように、本実施形態によれば、半導体集積回路で構成されるマイクロコンピュータを腕時計に内蔵する場合であっても、実装面積、ひいては、回路基板の面積を低減でき、腕時計の小型化（薄型化を含む）を容易に図ることができる。この結果、腕時計という大きさが制限される状態で、時計ケース内における電池の実装面積の確保および機能削減の回避に伴うマイクロコンピュータ実装面積の確保という相反する目的を達成し、女性用の小型ソーラー電波修正時計を構成する場合でも、男性用のソーラー電波修正時計と比較して機能を必要以上に削減することがない。
【００１８】
以上の説明においては、ムーブメント３０は、婦人用時計を目的として従来のソーラー充電式電波時計用ムーブメントよりもさらに小型化を図ったムーブメントとして構成し、２モータ式を採用する場合を示したが、これに限らず、全ての表示針を一個のモータで駆動する１モータ式を採用してもよい。
【００１９】
また、ムーブメント３０を男性用時計用とした場合、あるいはデザインの観点から比較的大型のものにした場合には、地板８１が大きくなる分、３個あるいは４個以上のモータを容易に配置することが可能である。
以上の説明においては、腕時計としてアナログ時計を説明したが、デジタル時計であっても同様に適用が可能である。
以上の説明においては、電池として、二次電池を用いる場合について説明したが、一次電池であっても同様に適用が可能である。
【００２０】
以上の説明においては、腕時計として、電波修正時計を例として説明したが、近距離無線通信など他の無線機能を有する腕時計や、各種情報処理を行うためにマイクロコンピュータを内蔵した腕時計についても本発明の適用が可能である。
【図面の簡単な説明】
【００２１】
【図１】実施形態に係る腕時計としてのソーラー充電式電波時計の外観構成を示す図である。
【図２】図１の腕時計の断面構造の概要を示す図である。
【図３】ムーブメントを裏蓋側から見た平面図である。
【図４】ムーブメントから回路基板及び回路押さえ板を外した状態を示す平面図である。
【図５】ムーブメント近傍の断面概念図である。
【図６】回路基板を時計表側（＝地板側）から見た場合の平面図である。
【図７】回路基板を裏蓋側から見た場合の平面図である。
【図８】二次電池を配置した部分の回路基板の部分断面図である。
【符号の説明】
【００２２】
１…腕時計、２…時計ケース、２Ａ…貫通孔、５…秒針、５…表示指針、６…分針、７…時針、８…竜頭、８Ａ…真、９…操作ボタン、１０…文字板、２０…ソーラーパネル、３０…ムーブメント、３１…秒車、３２…２番車、３３…筒車、３５…輪列機構、３６Ａ…モータ、３６Ｂ…モータ、３７…アンテナユニット、３７Ｂ…アンテナコイル、３８…二次電池、３８Ｍ…負側端子、３８Ｐ…正側端子、４０…カバーガラス、４１…裏蓋、４２…パッキン、５０…回路基板、５５…受信ＩＣ、５６…マイクロコンピュータ、５７…水晶振動子、６０…操作検出用接点、７０…プラス側電源用接点、８１…地板、８５…正極端子板、８６…負極端子板、ＣＡ…コイル領域、Ｐ…配線用パターン。
【図１】
2008020324.tif 000003
【図２】
2008020324.tif 000004
【図３】
2008020324.tif 000005
【図４】
2008020324.tif 000006
【図５】
2008020324.tif 000007
【図６】
2008020324.tif 000008
【図７】
2008020324.tif 000009
【図８】
2008020324.tif 000010